(57)【要約】【課題】データ収集先の遊技店の従業員を不快にさせることなく客数等のデータを収集し、さらに収集されたデータを容易に電子データ化できるシステムを提供する【解決手段】他社の運営する遊技店８ａ，８ｂにおいていわゆる頭取りと呼ばれるデータ収集を行う際に、ＰＤＡ等を用いることなくマークシート形式のデータシート２０により行う。データシート２０は手書きによりデータを入力するものであるため、従来の手帳でのデータ収集と同様に手書きで行うことができるので、データの収集を行う遊技店８ａ，８ｂの従業員に不快感を与えることがない。従って、従来と同様に継続してデータ収集を行うことができる。また、収集されたデータは収集端末５の画像処理ソフト１８及びスキャナ１５によって容易にコンピュータ１４内に電子データとして変換することができるので、従来のように後で手入力を行う必要がない。【選択図】  図２
2006122372.tif 000002
【特許請求の範囲】
【請求項１】
遊技店内の遊技台の稼働率等を分析する店舗状況分析システムであって、
サーバと、分析の基礎となるデータを収集する拠点となり前記サーバとネットワークを介して接続される収集端末と、前記データを数字やマークで入力可能なデータシートとを備え、
前記収集端末は、前記データシートに記載されたデータを画像として読みとる読取手段を有し、
前記サーバ又は前記収集端末は、前記読取手段により読みとられた画像を前記データに変換する画像処理手段と、前記変換されたデータをデータベース化するデータベース手段とを有していることを特徴とする店舗状況分析システム。
【請求項２】
前記データには少なくとも複数の遊技台を示す機種コードを含み、
前記サーバは前記遊技台に新機種が追加され或いは機種の廃止が行われた際に前記遊技台の更新状況をふまえた最新の機種コードを前記収集端末に送信し、
前記収集端末は、前記サーバから送信された最新の機種コードを前記データシートに印字可能なプリンタを備えていることを特徴とする請求項１に記載の店舗状況分析システム。
【請求項３】
前記データシートは、データ収集者が片手で把持して前記データの記入が可能な大きさに形成されていることを特徴とする請求項１又は２に記載の店舗状況分析システム。
【請求項４】
遊技店内の遊技台の稼働率等を分析する店舗状況分析システムであって、
サーバと、分析の基礎となるデータを収集する拠点となり前記サーバとネットワークを介して接続される収集端末と、前記データを音声で入力可能なマイクロホンとを備え、
前記サーバ又は前記収集端末は、前記マイクロホンから入力された音声を前記データに変換する変換手段と、前記変換手段により変換されたデータをデータベース化するデータベース手段とを有していることを特徴とする店舗状況分析システム。
【請求項５】
前記マイクロホンは、鼓膜伝導により音声を入力する鼓膜伝導マイクロホンであることを特徴とする請求項４に記載の店舗状況分析システム。
【請求項６】
前記データには少なくとも複数の遊技台を示す機種コードを含み、
前記サーバは前記遊技台に新機種が追加され或いは機種の廃止が行われた際に前記遊技台の更新状況をふまえた最新の機種コードを前記収集端末に送信し、
前記収集端末は、前記サーバから送信された最新の機種コードを表示可能な表示手段を備えていることを特徴とする請求項４又は５に記載の店舗状況分析システム。
【発明の詳細な説明】
【技術分野】
【０００１】
本発明は、パチンコ店等の遊技店の状況を分析するシステムに関する。
【背景技術】
【０００２】
パチンコ店やパチスロ店等の遊技店では、他店の遊技台の機種やその台数、或いは客数等の状況を分析し、自店での今後の新台入れ替え時期の判断のための基礎情報とすることが一般に行われている。このようなデータの収集は一般に頭取りと呼ばれ、従来は自店の従業員が日に数回他店に出向き、他店の状況を手帳等にメモしてデータを収集していた。
【０００３】
本願発明者等は、上記他店の状況のデータを基に当該他店での売り上げ状況と新台入れ替え等の関係を分析する店舗状況分析システムを提供している。当該店舗状況分析システムにおいては、自店の従業員が入手した他店のデータをパソコン等で入力するだけで様々な分析を行うことができるようになっている。
【０００４】
ところが、この頭取り用のデータ収集は日に数回行われるため、メモに記載された情報をパソコン等に入力する作業も日に数回行わなければならず、入力作業の簡素化が求められていた。このような入力作業の簡素化に関し、下記特許文献１では、専用の入力機器により他店で直接データ入力を行う方法が開示されている。
【０００５】
しかしながら、前記特許文献１の入力機器や、ＰＤＡ等を用いて他店でデータ入力を行うと、前記店舗状況分析システム等の分析システムを用いていることが他店に知れてしまう。一般に、頭取りと呼ばれる行為はどの店舗でも行っているため、従来のように手帳にメモする程度であれば調査をされる店舗でも黙認されているが、調査をする相手が分析システム等を使用していることが他店にとわかると、当該他店では自己の店舗が詳細に分析されるとの思いから不快感をあらわにしてデータ収集が妨害されるおそれがある。
【０００６】
従って、このような事態を生じさせないため、他店のデータを収集する際には従来通り手帳にメモを取ることをしていたが、メモの内容をパソコンに入力しなければならず、入力作業に手間と時間がかかるという不都合があった。
【特許文献１】特開２００１−３１４６２７号公報
【発明の開示】
【発明が解決しようとする課題】
【０００７】
本発明は、店舗状況分析システムの改良を目的とし、さらに詳しくは前記不都合を解消するために、データ収集先の遊技店の従業員を不快にさせることなくデータを収集し、さらに収集されたデータを容易に電子データ化できるシステムを提供することを目的とする。
【課題を解決するための手段】
【０００８】
前記目的を達成するために、本発明の第１の態様の店舗状況分析システムは、遊技店内の遊技台の稼働率等を分析する店舗状況分析システムであって、サーバと、分析の基礎となるデータを収集する拠点となり前記サーバとネットワークを介して接続される収集端末と、前記データを数字やマークで入力可能なデータシートとを備え、前記収集端末は、前記データシートに記載されたデータを画像として読みとる読取手段を有し、前記サーバ又は前記収集端末は、前記読取手段により読みとられた画像を前記データに変換する画像処理手段と、前記変換されたデータをデータベース化するデータベース手段とを有していることを特徴とする。
【０００９】
第１の態様の店舗状況分析システムによれば、分析の対象となるデータを収集する際、データ収集者がデータシートを持って調査対象となる遊技店でデータ収集を行う。このようなデータ収集方式は従前の手帳によるデータ収集と変わるところがないので、調査対象となる遊技店の従業員に不快感を与えることなくデータを収集することができる。また、収集されたデータは前記読取手段と前記画像処理手段により電子データ化され、前記データベース手段によりデータベース化されるので、従来のように手書きで収集したデータを作業者がパソコン等で入力する必要がない。このため、分析のためのデータ入力もきわめて容易となる。
【００１０】
また、第１の態様の店舗状況分析システムにおいては、前記データには少なくとも複数の遊技台を示す機種コードを含み、前記サーバは前記遊技台に新機種が追加され或いは機種の廃止が行われた際に前記遊技台の更新状況をふまえた最新の機種コードを前記収集端末に送信し、前記収集端末は、前記サーバから送信された最新の機種コードを前記データシートに印字可能なプリンタを備えていることが好ましい。
【００１１】
遊技店に設置されている遊技台は数多くあり、データ収集の際にこれらの名称等をいちいち記入するのはデータ収集者にとって煩雑である。さらに、パチンコ台やパチスロ台等の遊技台は機種の更新が頻繁に行われている。従って、前記データシートにはこのような遊技台の更新状況をふまえて前記遊技台の名称等を記入しなければならないため、作業が繁雑でありデータ記入時に誤記が発生するおそれもある。本発明の店舗状況分析システムでは、このような遊技台の更新状況をサーバ側で管理し、各収集端末に送信することにより、どの収集端末でも最新の遊技台の情報を入手することができる。また、前記収集端末では前記プリンタにより前記機種コードが印字されるので、データシートへの記入作業が容易であり、誤記等が発生するおそれがない。尚、この機種コードには遊技台を示す数字や記号の他、遊技台の名称も含まれる。
【００１２】
また、第１の態様の店舗状況分析システムにおいて、前記データシートは、データ収集者が片手で把持して前記データの記入が可能な大きさに形成されていることが好ましい。このように前記データシートを片手で保持してデータの収集を行ったときは、従来の手帳でのデータ収集と変わらず、また、さらに目立たなくすることができるため、データ収集を円滑に行うことができる。
【００１３】
本発明の第２の態様の店舗状況分析システムは、遊技店内の遊技台の稼働率等を分析する店舗状況分析システムであって、サーバと、分析の基礎となるデータを収集する拠点となり前記サーバとネットワークを介して接続される収集端末と、前記データを音声で入力可能なマイクロホンとを備え、前記サーバ又は前記収集端末は、前記マイクロホンから入力された音声を前記データに変換する変換手段と、前記変換手段により変換されたデータをデータベース化するデータベース手段とを有していることを特徴とする。
【００１４】
第２の態様の店舗状況分析システムによれば、分析の対象となるデータを収集する際、データ収集者がマイクロホンに音声を入力することにより調査対象となる遊技店でデータ収集を行う。このように音声によりデータを入力するものであれば、調査対象となる遊技店の従業員に見られても分析システムのデータ収集には見えないので、当該従業員に不快感を与えることなくデータを収集することができる。また、収集されたデータは前記変換手段により電子データ化され、前記データベース手段によりデータベース化されるので、作業者がパソコン等で入力する必要がなく、データ入力がきわめて容易となる。
【００１５】
また、第２の態様の店舗状況分析システムにおいては、前記マイクロホンは、鼓膜伝導により音声を入力する鼓膜伝導マイクロホンであることが好ましい。鼓膜伝導のマイクロホンであれば、周囲の騒音の影響を受けることなく確実にデータを入力することができる。
【００１６】
また、第２の態様の店舗状況分析システムにおいては、前記データには少なくとも複数の遊技台を示す機種コードを含み、前記サーバは前記遊技台に新機種が追加され或いは機種の廃止が行われた際に前記遊技台の更新状況をふまえた最新の機種コードを前記収集端末に送信し、前記収集端末は、前記サーバから送信された最新の機種コードを表示可能な表示手段を備えていることが好ましい。前記データを音声で入力する場合は、機種コードと台数等のデータを関連づけて入力しなければならないので、調査対象の遊技台の機種コードを忘れてしまうと入力することができない。第２の態様の店舗状況分析システムでは、前記収集端末に前記機種コードを表示することができるので、データ入力者は当該収集端末を見ながら音声入力を行うことができる。
【発明を実施するための最良の形態】
【００１７】
次に、本発明の店舗状況分析システムの実施形態の一例について、図１乃至図４を参照して説明する。まず、第１の実施形態の店舗状況分析システムは、パチンコ店の店舗状況を分析するためのシステムであり、図１に示すように、本実施形態のシステムの管理者が運営するサーバ１と、複数の遊技店２ａ〜２ｃを抱える本社３に設置された本社端末４と、各遊技店２ａ〜ｃに設置された収集端末５と、本社の幹部等が所有する携帯端末６とから構成され、それぞれインターネット（ネットワーク）７や携帯電話網７ａを介して相互に接続されている。図１において符号８ａ，８ｂで示す遊技店は、自社の遊技店２ａと同一商圏（エリア）内にある他社が運営する遊技店を示す。また、図１において、当該他社の遊技店８ａ，８ｂの内部は遊技台Ｇのフロアレイアウトを示している。
【００１８】
サーバ１はＣＰＵ、メモリやハードディスク等の記憶媒体、ルータ等の通信手段を備えている。また、このサーバ１の記憶媒体内には、ソフトウエアとして分析ソフト（データベース手段）９が記憶されている。この分析ソフト９は、分析を行う遊技店２ａの商圏内における来客状況や機種動向をデータベース化し、遊技店２ａの現状分析や戦略策定を行うための分析を行うシステムである。具体的には、自社が運営する遊技店２ａ及び商圏内の他社が運営する遊技店８ａにおける遊技台Ｇの数や店舗内での配置、入れ替え状況や、顧客の数、女性客の割合等のデータから、その遊技店２ａではどのような機種の遊技台Ｇをどのように配置し、どの時点で遊技台を入れ替えるべきか等の種々の分析を行う。
【００１９】
本社端末４は、コンピュータ１０と、プリンタ１１と、ルータ１２等の通信手段とを備えている。この本社端末４は、コンピュータ１０内にウエブブラウザ１３がインストールされており、ルータ１２によってインターネット７に接続されている。そして、ウエブブラウザ１３を使用することにより、サーバ１から分析結果等の情報を受け取り、各遊技店２ａ〜ｃの状況を把握し、今後の機種入れ替え等の戦略を立てる際に使用される。
【００２０】
収集端末５は、コンピュータ１４と、イメージスキャナ（読取手段、以下単にスキャナという）１５と、プリンタ１６と、ルータ１７とを備えており、遊技店２ａ，２ｂに設置されている。また、コンピュータ１４内にはソフトウエアとして画像処理ソフト（画像処理手段）１８が記憶されており、スキャナ１５にはオートフィーダ１９が設けられている。さらに、遊技店２ａ，２ｂには、他社が運営する遊技店８ａの情報を入力するためのデータシート２０が置かれている。この収集端末５は、データが記載されたデータシート２０をスキャナ１５で読み取り、画像処理ソフト１８によって店舗情報等のデータに変換し、データベース化してルータ１７を介してサーバ１に送信するものである。
【００２１】
本実施形態におけるデータシート２０は、図２に示すように、それぞれ以下のような項目のデータを記入できるようになっている。まず、調査を行う商圏を特定するエリアコード２１、自店の調査か他店の調査かを明確にする店舗区分２２、調査対象の店舗を示す店舗コード２３、調査を行う時間を記入する調査時間帯２４、調査対象の店舗で行われているイベントがある場合は、そのイベントコード２５、調査を行った際の天気２６、そして調査を行った担当者コード及び氏名２７である。次に、具体的な調査内容である、遊技台の機種コード２８、機種名２９、台数３０、台状況３１、変更後台数３２、客数３３、女性数３４、及び箱数３５である。
【００２２】
台状況３１には、その台が新規追加の台か、撤去されたか、増台されたか、あるいは減台されたかをチェックする。変更後台数３２等は、縦軸が百の位、十の位、一の位であり、横軸が１から０までの数字を表すようになっている。
【００２３】
携帯端末６は、本実施形態では携帯電話であり、ウエブブラウザ３６を内蔵し、携帯電話網７ａを通じてインターネット７に接続できる機種を用いている。本実施形態では、携帯端末６からウエブブラウザ３６を用いてサーバ１から分析結果等の情報を受け取ることができ、本社３や各遊技店２ａ〜ｃのみならず任意の場所で機種入れ替え等の戦略を立てることができるようになっている。
【００２４】
次に、本実施形態におけるデータシート２０の使用方法について説明する。まず、遊技店２ａにおいてその日のその時間にデータ収集を行うためのデータシート２０を準備する。具体的には、データシート２０のエリアコード２１、店舗区分２２、店舗コード２３、調査時間帯２４、天気２６、担当者コード及び氏名２７等の各欄に予めわかっているデータを記入しておく。一方、機種コード２８、機種名２９及び台数３０については、サーバ１から収集端末５に送信されたデータがプリンタ１６によって印刷されている。
【００２５】
次に、従業員Ｍが必要事項が記入されたデータシート２０を持って遊技店８ａに行き、データの収集を行う。具体的には、データシート２０の客数３３、女性数３４及び箱数３５にそれぞれマークを記入していく。このようなデータ入力作業は、従来から行われているような手帳への入力と変わらないので、調査をされる側の遊技店８ａに不快感を与えることはない。
【００２６】
例えば、図２に示すように、遊技台Ｇが機種コード「００００１」の機種名「ＣＲ新海Ｍ５６」であり、変更前の台数が５０台であり、調査次に５０台から１０台増台されて６０台となったものであれば、台状況３１の増台の箇所にチェックが入り、変更後台数３２の十の位の６の箇所と一の位の０の箇所にチェックが入る。その他、同様にその遊技台Ｇの客数３３が３６人、女性数３４が１５人、及び箱数３５が１２箱であればそれらの数字を表すようにマークを記入する。また、その遊技店８ａにおいてイベント等が行われているときは、イベントコード２５欄にイベントコードを記入する。例えば、新台入れ替えであれば「００１」等のように、予め各種のイベントについて割り当てられているイベントコードを記入する。
【００２７】
以上のようにその遊技店８ａにおいてデータを収集した後、他の遊技店８ｂのデータ収集を行う必要があれば当該他の遊技店８ｂにてデータ収集を行う。
【００２８】
このようにして収集されたデータは、データシート２０に記載されて自社の遊技店２ａに持ち帰られる。そして、データシート２０に記載されたデータを収集端末５のスキャナ１５を用いてコンピュータ１４内に入力する。具体的には、データシート２０を複数枚重ねてオートフィーダ１９に載置し、コンピュータ１４内の画像処理ソフト１８を立ち上げてスキャナ１５によってデータシート２０のイメージデータを作成する。画像処理ソフト１８は、このイメージデータに対して画像処理を行い、データシート２０に記載された数字等をテキストデータ等のデータベースで取り扱うことができるデータに変換する。このように変換されたデータは、ルータ１７及びインターネット７を介してサーバ１内のデータベースに送信される。その際、収集端末５についての情報も同時に送信される。
【００２９】
サーバ１においては、収集端末５からデータが送信されると、分析ソフト９がデータをデータベース化し、送信を行った収集端末５を示すコードを参照して当該収集端末５におけるデータベースに新たに送信されたデータを追加する。
【００３０】
次に、本社端末４において店舗状況を分析する際の作動について説明する。まず、本社端末４においてウエブブラウザ１３を立ち上げ、サーバ１に接続する。そして、サーバ１の分析ソフト９によって示されるメニュー（図示せず）に沿って分析したい項目を選択する。ここで示されるメニューは、例えば商圏内の顧客数（遊技人口）や年齢層等を示す商圏分析、自社の遊技店２ａや他社の遊技店８ａ，８ｂにおける各遊技台Ｇの機種別の稼働率を見る稼働分析、各遊技店２ａ，８ａ，８ｂにおける客数や各遊技台Ｇの稼働状況或いは各店舗の売上高等を見る店舗分析、各遊技台Ｇの機種の設置状況や占有率を示す機種分析、機種の配置と稼働率との関係を示す配置分析等である。また、本実施形態では、携帯端末６においてもウエブブラウザ３６を用いて上記本社端末と同様の分析データを閲覧することができる。
【００３１】
以上のように、本実施形態の店舗状況分析システムによれば、他社の運営する遊技店８ａ，８ｂにおいていわゆる頭取りと呼ばれるデータ収集を行う際にも、従来の手帳でのデータ収集と同様に手書きで行うことができるので、データの収集を行う遊技店８ａ，８ｂの従業員に不快感を与えることがない。従って、従来と同様に継続してデータ収集を行うことができる。また、収集されたデータは収集端末５のスキャナ１５及び画像処理ソフト１８によって容易にコンピュータ１４内に電子データとして変換することができるので、従来のように後で手入力を行う必要がない。
【００３２】
次に、遊技店８ａ，８ｂにおいて新規の遊技台Ｇが導入された場合、或いは旧式の遊技台Ｇが撤去された場合について説明する。サーバ１の管理者は、遊技台Ｇのメーカーから情報を入手すると共に、各収集端末５から送信される遊技台Ｇの台数のデータを管理している。メーカーから新規に発売された遊技台Ｇの情報を受け取ると、サーバ１内の遊技台Ｇのデータベースを更新し、各収集端末５に最新の情報を提供する。また、各収集端末５から送信される遊技台Ｇの台数のデータから使用されなくなった遊技台Ｇの情報を入手し、サーバ１内の遊技台Ｇのデータベースを更新して各収集端末５に最新の情報を提供する。
【００３３】
このように、収集端末５にはサーバ１から常に最新の遊技台Ｇのデータベースが送られてくる。そして、例えば遊技店８ａに新規遊技台Ｇが導入されたときは、各収集端末５では、プリンタ１１によって枠のみが記載されたデータシート２０に当該追加された遊技台Ｇの機種コード２８及び機種名２９を加えたデータを印刷する。これにより、遊技台Ｇの更新があった場合でもデータ収集者がデータシート２０に新規遊技台Ｇの機種コード２８等を記入しなくてよいので、データ収集作業が容易となる。
【００３４】
尚、上記実施形態においては、読取手段としてスキャナ１５を用いており、画像処理ソフト１８は各収集端末５にインストールされているが、これに限らず、読取手段を各収集端末５に設置されたファックスとし、画像処理ソフト１８をサーバ１内にインストールしておき、各収集端末５からファックスが送られてきた際にその画像データをサーバ１の画像処理ソフト１８で処理してデータ化を行ってもよい。
【００３５】
また、収集端末５は各遊技店２ａ，２ｂに設置されたものを例にして説明したが、モバイル端末やＰＤＡを用いてもよい。この場合、携帯型のスキャナを備えていれば、例えば遊技店８ａにおいてデータシート２０でデータ収集を行い、遊技店２ａに戻ることなく喫茶店等でデータシート２０をスキャナで読み取り、無線ＬＡＮ等を通じてサーバ１に送信することもできる。
【００３６】
次に、第１の態様における他の実施形態のデータシート２０’について説明する。尚、上記第１の実施形態と同様の構成には同様の符号を付して詳細な説明は省略する。データシート２０’は、図３に示すように、片手で把持できる大きさに形成されており、且つ、それぞれ以下のような項目のデータを記入できるようになっている。まず、各遊技店２ａ〜ｃ，８ａ，８ｂを表す店舗コード４１、データを記入した日の日付４２、時間４３、天気４４である。本実施形態では、この日付４２は数字で記入し、時間４３は「朝」「昼」「夜」の３カ所の枠のうち一つを塗りつぶすことにより記入し、天気４４は「晴」「曇」「雨」の３カ所の枠のうち一つを塗りつぶすことにより記入する。
【００３７】
また、遊技台Ｇの種類を示す機種コード４５、その遊技店に設置されている遊技台Ｇの台数４６、その遊技台Ｇにおける客数４７、その客数のうちの女性客の数４８、「若年」「中年」「壮年」に分けられた年齢層４９、その遊技台Ｇで出されている箱数５０、「多」「普」「少」に分けられたその遊技台Ｇの玉の出具合５１も記入する。また、各遊技店のフロアレイアウトにおける島５２（配置を示す。図１の８ａ，８ｂ参照。）も数字で記載できるようになっている。さらに、その遊技店における改装記念等のイベントコード５３、及び具体的なイベント名５４も記入することができるようになっている。
【００３８】
次に、データシート２０’の使用方法について説明する。まず、各遊技店においてその日のその時間にデータ収集を行うためのデータシート２０’を準備する。具体的には、データシート２０’の日付４２、時間４３、天気４４、遊技台Ｇの台数４６等の各欄に予めわかっているデータを記入しておく。また、遊技台Ｇの島５２はその入れ替えがない場合は従前の位置と同様であるので、事前に記入しておく。
【００３９】
次に、従業員Ｍが必要事項が記入されたデータシート２０’を持って遊技店８ａに行き、データの収集を行う。本実施形態においては、自社の従業員Ｍがデータシート２０’を片手に持ち、他方の手に鉛筆を持って当該調査対象となる遊技店８ａの店舗状況をデータシート２０’に記入していく。このようなデータ入力作業は、従来から行われているような手帳への入力と変わらないので、調査をされる側の遊技店８ａに不快感を与えることはない。
【００４０】
具体的には、機種コード４５が示す遊技台Ｇにおける客数４７、その客数のうちの女性客の数４８をそれぞれ数字で該当箇所に記入する。また、年齢層４９においてはどの年齢層が多いかによって「若年」「中年」「壮年」の欄の欄のうち１つを塗りつぶす。そして、その遊技台Ｇで出されている箱数５０を数字で記入し、その遊技台Ｇの玉の出具合５１によって「多」「普」「少」の欄のうち１つを塗りつぶす。
【００４１】
また、その遊技店８ａにおいてイベント等が行われているときは、イベント名５４欄にイベント名を記入する。事前にイベントの内容がわかっており、そのイベントが予め設けられたイベントコード５３に合致するものである場合は、そのイベントコード５３予め記入しておく。この場合はイベント名５４にそのイベントの名称を記入する必要はない。
【００４２】
次に、本発明の第２の実施形態について、図１及び図４を参照して説明する。尚、上記第１の実施形態と同様の構成には同様の符号を付して詳細な説明は省略する。当該第２実施形態では、収集端末としてコンピュータ６１と携帯電話６２とを有している。また、携帯電話６２には、マイクロホンとして鼓膜伝導イヤホン型マイク６３（以下単に鼓膜伝導マイクという。）が取り付けられている。また、携帯電話６２内には、ウエブブラウザ６４と、鼓膜伝導マイク６３からの音声を電子データに変換する変換ソフト６５が組み込まれている。また、携帯電話６２の画面６６には、図４に示すように、ウエブブラウザ６４によってサーバ１から送信された店舗コード６７等の内容を表示させるができるようになっている。そして、携帯電話６２とコンピュータ６１とは相互にデータのやりとりが可能となっている。
【００４３】
次に、第２の実施形態における携帯電話６２及び鼓膜伝導マイク６３の使用方法について説明する。第２の実施形態においては、従業員Ｍは、携帯電話６２を持ち、耳に鼓膜伝導マイク６３を装着する。また、携帯電話６２のウエブブラウザ６４を用いてサーバ１から入手したデータ収集メニュー６８を表示させる。このデータ収集メニュー６８では、画面６６の上方に分析を行う遊技店８ａの店舗コード６７とその店舗名６９が表示される。また、画面６６の下方には、遊技台Ｇの機種コード７０と機種名７１が表示される。
【００４４】
従業員Ｍは、携帯電話６２をこのような状態にした後、対象である遊技店８ａ内でデータの収集を行う。例えば、携帯電話６２の画面を見ながら「コード  ００００１，客  ５０，女性  ２１，箱  １５」のように各データを読み上げる。その際、マイクロホンが鼓膜伝導マイク６３であるため、小さな声でもデータの入力を行うことができる。また、周囲の騒音がうるさくても正確にデータの入力を行うことができる。また、機種の異なる遊技台Ｇのデータを入力する際も、「コード  ００００２，客  ３０，女性  ５，箱  １０」等のようにデータを読み上げて携帯電話６２に入力を行う。
【００４５】
携帯電話６２では、変換ソフト６５により入力された音声データが数字等の電子データに変換され、携帯電話６２内のメモリ（図示せず）にデータが蓄積される。従業員Ｍは、分析対象である遊技店８ａにおいてデータ収集が終了した後、携帯電話６２を遊技店２ｃに持ち帰る。そして、データ通信機能を用いて携帯電話６２内のデータをコンピュータ６１内に移動させる。そして、コンピュータ６１の画面上で入力されたデータが正しいかどうかのチェックを行い、正しければ収集したデータをサーバ１に送信する。
【００４６】
このように、第２の実施形態の店舗情報分析システムによれば、データ収集を行っている際であっても、外部から見るとデータ収集を行っているようには見えないため、データの収集を行う遊技店８ａ，８ｂの従業員に不快感を与えることがない。
【００４７】
尚、第２の実施形態において、マイクロホンとして鼓膜伝導マイク６３を用いているが、これに限らず、骨伝導マイクロホンや、衣服に取り付けるピンマイクのような音声入力マイクロホンを用いてもよく、携帯電話に内蔵されたマイクロホン（骨伝導を含む）を使用してもよい。このようにピンマイクのようなものであれば外見上データの収集を行う遊技店８ａ，８ｂの従業員に不快感を与えることがない。また、携帯電話の内蔵マイクロホンを利用したときは、外部から見れば単に電話をしているように見えるので、遊技店８ａ，８ｂの従業員に気づかれることなくデータ収集を行うことができる。
【図面の簡単な説明】
【００４８】
【図１】本発明の店舗状況分析システムの実施形態の一例を示す説明図。
【図２】本実施形態の店舗状況分析システムに用いられるデータシートの一例を示す説明図。
【図３】第１の態様における他の実施形態のデータシートを示す説明図。
【図４】第２の実施形態のデータ入力手段を示す説明図。
【符号の説明】
【００４９】
１…サーバ、５…収集端末、７…ネットワーク、８ａ，８ｂ…遊技店、１５…スキャナ（読取手段）、１８…画像処理ソフト（画像処理手段）、２０…データシート、Ｇ…遊技台。
【図１】
2006122372.tif 000003
【図２】
2006122372.tif 000004
【図３】
2006122372.tif 000005
【図４】
2006122372.tif 000006